(57)【要約】【課題】遊技盤を構成するための複数の要素の正確な位置合わせを図る。【解決手段】一般入賞部品９、始動部品１０、可変入賞装置１１、遊技釘１２、風車１３、アウト口１４が盤枠２の裏側から丸窓２０に挿入されるように、遊技基盤３が盤枠２の裏側から前面部１９と周壁２１とで囲まれた収容空間に収容され、ナット４９が部品取付部２２の裏側から部品取付部２２の雄ねじに締結され、装飾体４が盤枠２の前側から丸窓２０に挿入され、演出表示部３６の後部が装飾逃避部２８に挿入され、止ねじ５０が装飾体４の前側から取付孔３３を経由して遊技基盤３や取付孔２７に締結され、球寄せ体５が遊技基盤３の裏側や装飾体４の裏側を覆うように盤枠２の裏側に被せられ、止ねじ５１が球寄せ体５の裏側から取付孔４８を経由して部品取付部２３に締結され、遊技基盤３と装飾体４および球寄せ体５が盤枠２に取り付けられている。【選択図】図１
2008006150.tif 000002
【特許請求の範囲】
【請求項１】
盤枠と遊技基盤と装飾体と球寄せ体および画像表示器を備え、盤枠が前面部に丸窓とガイドレールと球発射通路と周壁および部品取付部を備え、遊技基盤が装飾逃避部および遊技領域を備え、装飾体が部品基盤および演出表示部を備え、球寄せ体が球通路および表示開口部を備え、遊技基盤が盤枠の裏側から盤枠の前面部と周壁とで囲まれた収容空間に取り付けられ、装飾体が盤枠の前側から丸窓に露出した部品取付部および丸窓に露出した遊技基盤に取り付けられ、演出表示部が装飾逃避部と対向し、球寄せ体が遊技基盤の裏側や装飾体の裏側を覆うように盤枠の裏側に取り付けられ、画像表示器の表示画面が球寄せ体の裏側から表示開口部に挿入され、画像表示器が球寄せ体の裏側に取り付けられたことを特徴とするパチンコ遊技機の遊技盤。
【発明の詳細な説明】
【技術分野】
【０００１】
本発明は、遊技盤を構成するための複数の要素が正確に位置合わせされるパチンコ遊技機の遊技盤に関する。
【背景技術】
【０００２】
パチンコ遊技機の遊技盤には、遊技盤を上下の２体に分割または上中下の３体に分割し、それらを１つに組み合わせた状態で遊技機枠に格納する構造が知られている。しかしながら、２体に分割または上中下の３体に分割された遊技盤要素の位置合わせが面倒であるという欠点がある。
【特許文献１】特開２００３−２９０４５７号公報
【特許文献２】特開２００４−１７３８１５号公報
【発明の開示】
【発明が解決しようとする課題】
【０００３】
発明が解決しようとする問題点は、複数に分割された遊技盤要素の位置合わせが面倒であるという点である。
【課題を解決するための手段】
【０００４】
本発明に係るパチンコ遊技機の遊技盤は、盤枠と遊技基盤と装飾体と球寄せ体および画像表示器を備え、盤枠が前面部に丸窓とガイドレールと球発射通路と周壁および部品取付部を備え、遊技基盤が装飾逃避部および遊技領域を備え、装飾体が部品基盤および演出表示部を備え、球寄せ体が球通路および表示開口部を備え、遊技基盤が盤枠の裏側から盤枠の前面部と周壁とで囲まれた収容空間に取り付けられ、装飾体が盤枠の前側から丸窓に露出した部品取付部および丸窓に露出した遊技基盤に取り付けられ、演出表示部が装飾逃避部と対向し、球寄せ体が遊技基盤の裏側や装飾体の裏側を覆うように盤枠の裏側に取り付けられ、画像表示器の表示画面が球寄せ体の裏側から表示開口部に挿入され、画像表示器が球寄せ体の裏側に取り付けられたことを最も主要な特徴とする。
【発明の効果】
【０００５】
本発明に係るパチンコ遊技機の遊技盤は、盤枠が前面部に丸窓とガイドレールと球発射通路と周壁および部品取付部を備え、遊技基盤と装飾体および球寄せ体が盤枠に取り付けられているので、遊技基盤と装飾体および球寄せ体における相互の位置合わせが正確になるという利点があるうえ、盤枠が前面部に丸窓とガイドレールおよび周壁を備えて反りや変形を起こさない強度の高い骨格として構成されているので、遊技基盤の前面が盤枠の前面部よりも小さい形状に形成された遊技基盤が盤枠の前面部と周壁とで囲まれた収容空間に取り付けられることによって、遊技基盤の反りが解消されるという利点がある。
【発明を実施するための最良の形態】
【０００６】
図１乃至図４は、発明を実施するための最良の形態である。図１は、遊技盤１を分解して示す。図２のａ図は、盤枠２と遊技基盤３とが互いに組み立てられた正面を示す。図２のｂ図は、図２のａ図をＢ−Ｂ線に沿って切断した断面を示す。図３のａ図は、盤枠２と遊技基盤３と装飾体４および球寄せ体５が互いに組み立てられた正面を示す。図３のｂ図は、図３のａ図をＣ−Ｃ線に沿って切断した断面を示す。図４は、パチンコ遊技機を分解して示す。本明細書において、「前」、「表」、「後」、「裏」、「左」、「右」、「上」、「下」の方向は、図４の状態に遊技盤１および遊技機枠６１を置いて矢印Ａで示す前側から見た場合に特定される方向である。「前」および「表」は、同じ方向である。「後」および「裏」は、同じ方向である。
【０００７】
図１を参照し、パチンコ遊技機の遊技盤１の構造について説明する。遊技盤１は、盤枠２、遊技基盤３、装飾体４、球寄せ体５、ガイドレール６、球発射通路７、球戻り防止弁８、一般入賞部品９、始動部品１０、可変入賞装置１１、遊技釘１２、風車１３、アウト口１４、画像表示器１５を備える。球戻り防止弁８が盤枠２の前面に設けられ、一般入賞部品９、始動部品１０、可変入賞装置１１、遊技釘１２、風車１３、アウト口１４が遊技基盤３の前面に設けられ、遊技基盤３が盤枠２の裏側から盤枠２に取り付けられ、装飾体４が盤枠２の前側から盤枠２および遊技基盤３に取り付けられ、球寄せ体５が遊技基盤３の裏側や装飾体４の裏側を覆うように盤枠２の裏側に取り付けられ、画像表示器１５が球寄せ体５の裏側に取り付けられる。これによって、遊技盤１が構成される。
【０００８】
盤枠２は、光遮蔽性の有る有色な合成樹脂により構成され、方形な前面部１９の中央に丸窓２０を備え、前面部１９の前側にガイドレール６および球発射通路７を備え、前面部１９の裏側に周壁２１、部品取付部２２；２３；２４、ロック挿入孔２５、球出口２６、取付孔２７を備える。前面部１９の前面から周壁２１の後面までの寸法は、現行の遊技盤の前後方向の厚さと同じである、例えば１９ｍｍに設定される。
【０００９】
ガイドレール６は、前面部１９の左側部および丸窓２０の周縁部から前側に突出する渦巻き状に形成される。ガイドレール６の左側部１６は、渦巻き状の外端部を構成し、丸窓２０よりも左側に位置する前面部１９の前面から前側に突出する。ガイドレール６の右側部１７は、巻き状の内端部を構成し、丸窓２０の周縁部から前側に突出する。ガイドレール６の左側部１６と右側部１７とに繋がる中間部１８は、丸窓２０の周縁部から前側に突出する。
【００１０】
球発射通路７は、ガイドレール６の左側部１６と、ガイドレール６の右側部１７と、それらの間に位置する前面部１９とによって囲まれた、球の通過可能な縦長な前側に開口した隙間として構成される。丸窓２０は、一般入賞部品９、始動部品１０、可変入賞装置１１、遊技釘１２、風車１３、アウト口１４、装飾体４を配置するための、前後方向への貫通孔として構成される。
【００１１】
球戻り防止弁８は、遊技領域３１から球発射通路７への球の侵入を防止するものである。球戻り防止弁８の一端部がガイドレール６の右側部１７の丸窓２０の側に取り付けられる。球戻り防止弁８の他端部は、ガイドレール６の右側部１７の側から左側部１６の側に行くにしたがって徐々に球発射通路７の側から丸窓２０の側に突出するように傾斜する。
【００１２】
周壁２１は、盤枠２を裏側から見た場合に方形となるように、前面部１９の周縁部から裏側に突出する。つまり、ガイドレール６が丸窓２０を囲むように前面部１９に設けられ、周壁２１が前面部１９の外周を囲むように前面部１９に設けられたことによって、盤枠２が反りや変形を起こさない強度の高い骨格として構成される。
【００１３】
部品取付部２２は、遊技基盤３を盤枠２に固定するものであって、前面部１９の裏面から裏側に突出した棒に雄ねじの形成された形態である。部品取付部２３は、球寄せ体５を盤枠２に固定するものであって、前面部１９の裏面から裏側に突出した筒体として形成される。部品取付部２４は、装飾体４を盤枠２に固定するものであって、丸窓２０の右側部に位置し、丸窓２０の右側部から丸窓２０の内側に突出した板状として形成される。
【００１４】
ロック挿入孔２５は、前面部１９の右側部の上下に、前後方向への貫通孔として設けられる。球出口２６は、ガイドレール６の左側部１６における丸窓２０の周縁部と出合う部分とガイドレール６の右側部１７の上端との間における１個の球が通過可能な隙間により構成される。取付孔２７は、部品取付部２４に前後方向への貫通孔として設けられる。
【００１５】
遊技基盤３は、合板または合成樹脂からなる板状であって、一般入賞部品９、始動部品１０、可変入賞装置１１、遊技釘１２、風車１３を取り付けるのに十分な例えば１０乃至１９ｍｍ程度の厚さを有し、上下方向の寸法Ｈ２が盤枠２の前面部１９と周壁２１とで囲まれた収容空間に収容可能であって丸窓２０の上下方向の寸法よりも大きく、左右方向の寸法Ｈ３が丸窓２０の左右方向の寸法よりも小さい。遊技基盤３には、装飾逃避部２８、取付逃避部２９、取付孔３０が設けられる。
【００１６】
装飾逃避部２８は、盤枠２と遊技基盤３および装飾体４が互いに組み立てられた場合、装飾体４の大部分を逃げるためのものであって、遊技基盤３の右側部における上下方向の中間部から内部に窪みかつ前後方向に貫通する除去部として構成される。取付逃避部２９は、遊技基盤３が盤枠２の裏側から前面部１９と周壁２１とで囲まれた収容空間に収容される場合、部品取付部２３を逃げるためのものであって、前後方向への貫通孔として構成される。取付孔３０は、遊技基盤３が盤枠２の裏側から前面部１９と周壁２１とで囲まれた収容空間に収容される場合、部品取付部２２を嵌め込むためのものであって、前後方向への貫通孔として構成される。
【００１７】
遊技基盤３の前面における仮想線で囲まれた遊技領域３１は、盤枠２と遊技基盤３および装飾体４が互いに組み立てられた場合、盤枠２の丸窓２０や装飾体４から露出される。遊技領域３１には、多種多様な遊技部品が設けられる。遊技領域３１に設けられる多種多様な遊技部品としては、一般入賞部品９、始動部品１０、可変入賞装置１１、遊技釘１２、風車１３、アウト口１４を例示した。一般入賞部品９、始動部品１０、可変入賞装置１１、アウト口１４は、遊技領域３１から入賞した球を遊技基盤３の裏側に排出する形態である。
【００１８】
装飾体４は光遮蔽性の有る有色な合成樹脂を主体として構成され、部品基盤３２、取付孔３３、障害突起３４、仕切壁３５、演出表示部３６、機種名表示部３７、キャラクタ表示部３８を備える。部品基盤３２は、盤枠２および遊技基盤３に前側から取り付けられる板状である。取付孔３３は、部品基盤３２を盤枠２や遊技基盤３に固定する止ねじを挿入するものであって、部品基盤３２の周縁部に前後方向への貫通孔として設けられる。障害突起３４は、部品基盤３２から前側に突出する突起として、部品基盤３２の右斜め上部に設けられる。
【００１９】
仕切壁３５は、遊技領域３１や部品基盤３２から球を進入させない領域を囲むものであって、部品基盤３２の前面から前側に突出し、装飾体４を前側から見た場合、前側に突出する突起を構成する。仕切壁３５の障害突起３４と対応する部分には、凹部３９が仕切壁３５の外側から内側に窪むように設けられる。凹部３９と障害突起３４との間の隙間は、球通路４０として構成される。球通路４０は、１個の球が通過可能であるが、２個の球が横に並んでは通過不可能な通路として形成される。
【００２０】
演出表示部３６は、装飾体４の前側から画像表示器１５の表示画面に表示された画像を遊技者に見せるためのものであって、仕切壁３５で囲まれるように部品基盤３２に前後方向への貫通孔として形成された開口部４１と、開口部４１の周縁部から部品基盤３２の裏側に突出する見切壁４２と、開口部４１を塞ぐように見切壁４２の裏面に設けられた光透過性の有る無色な合成樹脂からなる透視板４３とから構成される。
【００２１】
機種名表示部３７は、遊技盤１の機種を表す文字を表示する部分であって、演出表示部３６よりも上側において、仕切壁３５で囲まれた部品基盤３２の前面に設けられる。キャラクタ表示部３８は、遊技盤１の機種や演出表示部３６に表示される画像に適合するフィギャなどが設けられる部分であって、演出表示部３６よりも右側において、仕切壁３５で囲まれた部品基盤３２の前面に設けられる。
【００２２】
球寄せ体５は、セット板や集合樋とも呼ばれ、遊技盤１の前側から一般入賞部品９、始動部品１０、可変入賞装置１１、アウト口１４を経由して遊技盤１の裏側に排出された球を下側に誘導するために、光透過性の有る無色な合成樹脂により構成された裏側部品であって、部品基盤４４、球通路４５、球出口４６、表示開口部４７、取付孔４８を備える。
【００２３】
部品基盤４４は、盤枠２に裏側から取り付けられる板状である。球通路４５は、部品基盤４４の中央部を前側から後側に突出させ、前面に開口した窪みを形成し、球寄せ体５が遊技基盤３の裏側や装飾体４の裏側を覆うように盤枠２に取り付けられた場合、遊技基盤３の裏面とによって球を下側に誘導する通路を構成する。球出口４６は、球通路４５の最下部に到達した球を球通路４５から下方に排出するように、球通路４５の下部に設けられる。表示開口部４７は、画像表示器１５の表示画面を前側に臨ませる前後方向への貫通孔として、球通路４５の背壁に設けられる。取付孔４８は、部品基盤４４に前後方向への貫通孔として設けられる。画像表示器１５が球寄せ体５に取り付けられる構造については、図３のｂ図で説明する。
【００２４】
図１乃至図３を参照し、遊技盤１の組立方について説明する。盤枠２には、球戻り防止弁８が予め取り付けられる。遊技基盤３には、一般入賞部品９、始動部品１０、可変入賞装置１１、遊技釘１２、風車１３、アウト口１４が予め取り付けられる。そして、先ず、盤枠２と遊技基盤３とが互いに組み立てられ、次に、装飾体４および球寄せ体５が盤枠２および遊技基盤３に取り付けられる。
【００２５】
図１において、盤枠２と遊技基盤３とが互いに組み立てられる場合、盤枠２の裏面と遊技基盤３の前面とが互い向かい合わされ、一般入賞部品９、始動部品１０、可変入賞装置１１、遊技釘１２、風車１３、アウト口１４が盤枠２の裏側から丸窓２０に挿入されるように、遊技基盤３が盤枠２の裏側から前面部１９と周壁２１とで囲まれた収容空間に収容される。これに伴い、部品取付部２２が取付孔３０に挿入され、部品取付部２２の後部が遊技基盤３よりも裏側に突出され、部品取付部２３が取付逃避部２９に挿入される。その後、ナット４９が部品取付部２２の裏側から部品取付部２２の雄ねじに締結される。これによって、図２のａ図およびｂ図に示すように、盤枠２と遊技基盤３とが互いに組み立てられる。図２のｂ図には、一般入賞部品９、始動部品１０、可変入賞装置１１、遊技釘１２、風車１３の図示を省略してある。
【００２６】
図１に戻り、装飾体４が盤枠２および遊技基盤３に取り付けられる場合、装飾体４が盤枠２の前側から丸窓２０に挿入され、演出表示部３６の後部が装飾逃避部２８に挿入され、部品基盤３２が遊技基盤３における装飾逃避部２８の周りの前面および盤枠２における部品取付部２４の前面に重ね合わされる。その後、ねじ釘などの止ねじ５０が装飾体４の前側から取付孔３３を経由して遊技基盤３や取付孔２７に締結される。
【００２７】
これによって、図３のａ図およびｂ図に示すように、装飾体４が盤枠２および遊技基盤３に取り付けられて装飾逃避部２８を前側から見えないように覆い隠し、右上球通路５５および右下球通路５６が仕切壁３５とガイドレール６の中間部１８と部品基盤３２とで囲まれた前側に開口した縦長な通路として仕切壁３５とガイドレール６の中間部１８との間に形成される。右上球通路５５は、球通路４０の上部に繋がり、右下球通路５６は球通路４０の下部に繋がる。
【００２８】
そして、球発射通路７から球戻り防止弁８を押し開けて遊技領域３１の上部に到達した球が、ガイドレール６に接触しつつ誘導されて右上球通路５５に取り込まれた場合、当該球が球通路４０で障害突起３４に衝突し、球の速度が低下した後に球通路４０から右下球通路５６を経由して下方に流下する。右上球通路５５の最左側に位置する入口は、１個の球が通過可能であるが、２個の球が横に並んでは通過不可能である。
【００２９】
また、球寄せ体５が盤枠２に取り付けられる場合、球寄せ体５が遊技基盤３の裏側や装飾体４の裏側を覆うように盤枠２の裏側に被せられ、部品基盤４４が部品取付部２３の遊技基盤３よりも裏側に突出した後部に重ね合わされる。その後、止ねじ５１が球寄せ体５の裏側から取付孔４８を経由して部品取付部２３に締結される。これによって、図３のａ図およびｂ図に示すように、装飾体４および球寄せ体５が盤枠２および遊技基盤３に取り付けられる。図３のｂ図には、遊技釘１２や風車１３の図示を省略してある。
【００３０】
図３のｂ図に示すように、球寄せ体５が盤枠２に取り付けられる前、または、球寄せ体５が盤枠２に取り付けられた後に、画像表示器１５が球寄せ体５に取り付けられる場合、画像表示器１５の表示画面が球寄せ体５の裏側から表示開口部４７に挿入され、画像表示器１５の周縁部から外側に突出した取付足５２が球寄せ体５における表示開口部４７の周りから裏側に設けられた取付部５３に重ね合わされる。その後、止ねじ５４が、画像表示器１５の裏側から取付足５２における図外の貫通孔を貫通して取付部に締結される。これによって、画像表示器１５が球寄せ体５に取り付けられ、画像表示器１５の表示画面が演出表示部３６の透視板４３と対向する。
【００３１】
遊技盤１は、盤枠２が前面部１９に丸窓２０とガイドレール６と球発射通路７と周壁２１および部品取付部２２；２３；２４を備え、遊技基盤３が装飾逃避部２８と取付逃避部２９と取付孔３０および遊技領域３１を備え、装飾体４が部品基盤３２および演出表示部３６を備え、球寄せ体５が球通路４５および表示開口部４７を備え、遊技基盤３が盤枠２の裏側から盤枠２の前面部１９と周壁２１とで囲まれた収容空間に取り付けられ、装飾体４が盤枠２の前側から丸窓２０に露出した部品取付部２４および丸窓２０に露出した遊技基盤３に取り付けられ、演出表示部３６が装飾逃避部２８と対向し、球寄せ体５が遊技基盤３の裏側や装飾体４の裏側を覆うように盤枠２の裏側に取り付けられ、画像表示器１５が球寄せ体５の裏側に取り付けられる構造になっている。このため、遊技盤１が別の新しい機種として構成される場合、古い機種に係る遊技基盤３と装飾体４および球寄せ体５が盤枠２から取り外された後、新しい機種に係る遊技基盤３と装飾体４および球寄せ体５が盤枠２に取り付けられることによって、新しい機種の遊技盤１が構成されるという利点がある。
【００３２】
画像表示器１５の大形化に伴い、装飾体４の演出表示部３６を逃げるための大きな装飾逃避部２８が遊技基盤３に形成されても、遊技基盤３の前面が盤枠２の前面部１９よりも小さい形状に形成することができる。盤枠２が前面部１９に丸窓２０とガイドレール６および周壁を備えて反りや変形を起こさない強度の高い骨格として構成されているので、前面が盤枠２の前面部１９よりも小さい形状に形成された遊技基盤３が盤枠２の前面部１９と周壁２１とで囲まれた収容空間に取り付けられることによって、遊技基盤３の反りが解消されるという利点がある。遊技基盤３と装飾体４および球寄せ体５が盤枠２に取り付けられているので、遊技基盤３と装飾体４および球寄せ体５における相互の位置合わせが正確になるという利点がある。装飾体４が盤枠２および遊技基盤３に取り付けられることによって、装飾体４が装飾逃避部２８を前側から見えないように覆い隠すという利点がある。
【００３３】
図４を参照し、パチンコ遊技機の構造について説明する。パチンコ遊技機は、遊技機枠６１の内部に遊技盤１を交換可能に格納した形態である。遊技機枠６１は、固定枠６２の前側に可動枠６３を開閉可能に備え、可動枠６３の前側に上前扉６４および下前扉６５を開閉可能に備える。固定枠６２は、遊技機設置構造体に取り付けるための外枠とも呼ばれる。遊技機設置構造体は、遊技店のパチンコ遊技機を設置する島とも呼ばれる設備である。可動枠６３は、左側に位置するヒンジ６６を中心とし、固定枠６２の前側で前側に開かれかつ後側に閉じられるように、片開き可能であって、遊技盤１、図外の制御装置など遊技に必要な部品を取り付ける前枠とも呼ばれる。上前扉６４および下前扉６５は、個別に、左側に位置するヒンジ６７を中心とし、可動枠６３の前側で前側に開かれかつ後側に閉じられるように、片開き可能である。
【００３４】
可動枠６３は、施錠装置６８、ロック機構６９；７０；７１、ロック解除操作体７２、盤収容室７３、中央開口部７４、盤押圧ばね７５、盤受止体７６、盤ロック台７７、盤ロック操作体７８、盤棚７９、前壁８０、球発射機構８１、球発射レール８２、戻り球取入口８３、機内排出樋８４、機外排出樋８５、タンク８６を備える。
【００３５】
施錠装置６８、ロック機構６９乃至７１、ロック解除操作体７２は、可動枠６３の右側部に設けられる。盤収容室７３は、遊技盤１を可動枠６３の前側から格納させるように、前側に開口した形状として、可動枠６３の内側に設けられる。中央開口部７４は、前後方向への貫通孔として、盤収容室７３の背壁に設けられる。盤押圧ばね７５は、遊技盤１を前側に押す板ばねのような弾性体であって、盤収容室７３に上下に設けられる。盤受止体７６は、盤押圧ばね７５で前側に押された遊技盤１を受け止めるものであって、盤収容室７３の左側壁から右側に突出した突起として、盤収容室７３に上下に設けられる。
【００３６】
盤ロック台７７は、盤収容室７３の背壁の右側部から前側に突出した突起として、盤収容室７３に上下に設けられる。盤棚７９は、遊技盤１を搭載する左右方向に平坦な面として、盤収容室７３の下縁部に設けられる。前壁８０は、盤棚７９から下側に延設された縦壁である。球発射機構８１、球発射レール８２、戻り球取入口８３、機内排出樋８４が、前壁８０に設けられる。ロック解除操作体７２、球発射機構８１、球発射レール８２、戻り球取入口８３、機内排出樋８４は、下前扉６５が閉じられた場合、下前扉６５で覆い隠される。機外排出樋８５は、盤棚７９から裏側に設けられる。タンク８６は、可動枠６３の裏部に設けられ、遊技機設置構造体の補給機構から供給される球を貯蔵し、貯蔵した球を可動枠６３の裏部に設けられた図外の球払出機構に供給する。
【００３７】
上前扉６４は、パネル枠とも呼ばれ、前後方向に貫通する窓８７を備える。窓８７は、前面パネル８８で塞がれる。前面パネル８８は、上前扉６４の裏面に設けられた光透過性の有る無色なガラスのような板状の部材により構成される。
【００３８】
下前扉６５は、球受皿８９および球発射操作機構９０を、下前扉６５の前面から前側に突出した形態に備える。球受皿８９は、遊技に使用する球を受ける上側に開口した上側から下側に窪む容器である。球発射操作機構９０は、遊技者が球を発射するために操作するものである。下前扉６５の裏面には、球取入口９１および球供給口９２が設けられる。
【００３９】
図４に示すように、可動枠６３、上前扉６４、下前扉６５が開かれた状態において、遊技店の店員が可動枠６３を後側に押すと、可動枠６３がヒンジ６６を中心として後側に閉じられて固定枠６２にロック機構６９で開閉不能に支持され、遊技店の店員が下前扉６５を後側に押すと、下前扉６５がヒンジ６７を中心として後側に閉じられて可動枠６３にロック機構７１で開閉不能に支持され、その後、遊技店の店員が上前扉６４を後側に押すと、上前扉６４がヒンジ６７を中心として後側に閉じられて可動枠６３にロック機構７０で開閉不能に支持される。
【００４０】
可動枠６３が閉じられて固定枠６２にロック機構６９で開閉不能に支持され、上前扉６４および下前扉６５が閉じられて可動枠６３にロック機構７０；７１で開閉不能に支持された状態において、遊技店の店員が図外のキープレート（鍵）を遊技機枠６１の前側から施錠装置６８の鍵穴に挿入し、当該キープレートを例えば右側に９０度回転操作すると、固定枠６２と可動枠６３とのロック機構６９による支持形態が解除される。この支持形態の解除後に、店員が可動枠６３を前側に引くことによって、可動枠６３はヒンジ６６を中心として前側に片開きされる。
【００４１】
前記施錠装置６８の鍵穴に挿入されたキープレートが例えば左側に９０度回転操作されると、可動枠６３と上前扉６４とのロック機構７０による支持形態が解除される。この支持形態の解除後に、店員が上前扉６４を前側に引くことによって、上前扉６４はヒンジ６７を中心として前側に片開きされる。このように、上前扉６４が前側に開かれた状態において、店員がロック解除操作体７２を操作すると、可動枠６３と下前扉６５とのロック機構７１による支持形態が解除される。この支持形態の解除後に、店員が下前扉６５を前側に引くことによって、下前扉６５はヒンジ６７を中心として前側に片開きされる。
【００４２】
遊技盤１が遊技機枠６１に取り付けられる場合について説明する。図４において、少なくとも、上前扉６４が可動枠６３の前側に片開きされた状態において、遊技盤１の前面が前側に向けられ、遊技盤１が可動枠６３の前側から盤収容室７３に挿入され、遊技盤１の下部が盤棚７９の上に載せられ、遊技盤１の左側部が盤押圧ばね７５と盤受止体７６との間に挿入されて盤押圧ばね７５と盤受止体７６とで前後方向から挟まれる。その後、遊技盤１の右側部が前側から後側に押され、盤ロック操作体７８がロック挿入孔２５に後側から挿入されて前側に突出した状態において、盤ロック操作体７８が例えば右方向に９０度回転操作され、盤ロック操作体７８がロック挿入孔２５の周りにおける遊技盤１の前面と係合し、遊技盤１が可動枠６３に取り付けられる。
【００４３】
その後、上前扉６４および下前扉６５が閉じられることによって、遊技盤１の前面が遊技機枠６１の前側から窓８７および前面パネル８８を経由して視認可能になる。その状態において、遊技者が球受皿８９にパチンコ球と呼ばれる球を入れ、遊技者が球発射操作機構９０を右回りに操作すると、球発射機構８１が球発射操作機構９０の操作量に応じた発射力で駆動し、球発射機構８１が球受皿８９から球供給口９２を経由して遊技機枠６１の内部の球発射レール８２に取り込まれた球を１個ずつ球発射通路７に向けて発射する。球発射通路７に発射された球は、球戻り防止弁８を押し開けて遊技領域３１に到達する。
【００４４】
遊技領域３１に到達した球は、遊技領域３１を流下する過程において、遊技部品に衝突して、流れる方向を変えながら、一般入賞部品９、始動部品１０、可変入賞装置１１のいずれかに入って遊技盤１の裏側に排出された後に球案内体５から機外排出樋８５を経由して遊技機設置構造体の捕球機構に排出される。一般入賞部品９、始動部品１０、可変入賞装置１１のいずれにも入らないで、遊技領域３１の最下部に到達した球は、アウト口１４から遊技盤１の裏側に排出された後に機外排出樋８５を経由して遊技機設置構造体の捕球機構に排出される。球が一般入賞部品９、始動部品１０、可変入賞装置１１のいずれかに入ると、図外の球払出機構がタンク８６に貯蔵された賞球としての球を遊技者に与えるように機内排出樋８４および球取入口９１を経由して球受皿８９に払い出す。
【００４５】
遊技盤１における前面部１９の前面から周壁２１の後面までの寸法が現行の遊技盤の前後方向の厚さと同じに設定されているので、図４に示す現行の遊技機枠６１の構造を変更することなく、遊技機枠６１の内部に遊技盤１を交換可能に格納し、パチンコ遊技機を提供できるという利点がある。
【産業上の利用可能性】
【００４６】
球戻り防止弁８は遊技基盤３に取り付けてもよい。ナット４９、止ねじ５０、止ねじ５１以外の固定具を使用してもよい。装飾体４が遊技基盤３と丸窓２０との間の隙間を覆い隠す形状であれば、遊技基盤３の上下方向の寸法Ｈ２が盤枠２の前面部１９と周壁２１とで囲まれた収容空間に収容可能であって丸窓２０の上下方向の寸法よりも小さくてもよい。遊技基盤３の左右方向の寸法Ｈ３が盤枠２の前面部１９と周壁２１とで囲まれた収容空間に収容可能であって丸窓２０の左右方向の寸法よりも大きくてもよい。ガイドレール６は、ステンレスで構成されたもので、盤枠２に取り付けてもよい。ガイドレール６が合成樹脂で構成された場合、遊技盤１が図４に示す遊技機枠６１に格納された状態において、球発射機構８１から発射された球が最初に接触する部分に、ステンレスからなる板状の矛部材をガイドレール６に設けてもよい。障害突起３４をガイドレール６にに設けても良い。
【図面の簡単な説明】
【００４７】
【図１】遊技盤の分解斜視図（最良の形態）。
【図２】ａ図は盤枠と遊技基盤の組立正面図、ｂ図はａ図のＢ−Ｂ線断面図（最良の形態）。
【図３】ａ図は遊技盤の組立正面図、ｂ図はａ図のＣ−Ｃ線断面図（最良の形態）。
【図４】パチンコ遊技機の分解斜視図（最良の形態）。
【符号の説明】
【００４８】
１    遊技盤
２    盤枠
３    遊技基盤
４    装飾体
５    球寄せ体
６    ガイドレール
７    球発射通路
１９  前面部
２０  丸窓
２１  周壁
２４  部品取付部
【図１】
2008006150.tif 000003
【図２】
2008006150.tif 000004
【図３】
2008006150.tif 000005
【図４】
2008006150.tif 000006